(57)【特許請求の範囲】
【請求項１】
データ処理方法であって、
送信デバイスが、ビットのストリームに基づいて、１層の変調シンボルシーケンスを生成する段階であって、前記変調シンボルシーケンスはＮ個の変調ベクトルを含み、任意の変調ベクトルＡｉはＵ個の変調シンボルを含み、Ｕ≧２、Ｎ≧ｉ≧１、Ｎは正の整数である、段階と、
前記送信デバイスが、異なる複数の行列を循環して使用することによって、変調ベクトルＡｉを処理して変調行列ｙｉを生成する段階であって、各変調行列は第１次元においてＴ個のエレメントを含み、Ｔは空間領域リソースの数であり、Ｔ≧２であり、前記変調行列ｙｉは、前記ビットのストリームを前記Ｔ個の空間領域リソースにマッピングするために使用される、段階と
を備えるデータ処理方法。
【請求項２】
前記変調ベクトルＡｉはＶ個の非ゼロ変調シンボルを含み、行列Ｂｉは前記第１次元においてＴ個のエレメントシーケンスを含み、前記Ｔ個のエレメントシーケンスのうち少なくとも１つは非ゼロエレメントシーケンスであり、前記非ゼロエレメントシーケンスは少なくとも１つの非ゼロエレメントを含み、前記行列Ｂｉは第２次元においてＶ個の非ゼロエレメントシーケンスを含み、Ｕ≧Ｖ≧１である、請求項１に記載のデータ処理方法。
【請求項３】
前記第１次元が行であり、かつ、Ｔ＝２であるとき、前記送信デバイスは前記変調ベクトルＡｉを前記行列Ｂｉに基づいて処理し、Ｂｉは
【数１３９】
0006885659.tif 000141
である、または、Ｂｉは
【数１４０】
0006885659.tif 000142
である、請求項２に記載のデータ処理方法。
【請求項４】
前記第１次元が行であり、かつ、Ｔ＝２であるとき、前記送信デバイスは前記変調ベクトルＡｉを前記行列Ｂｉに基づいて処理し、変調ベクトルＡｊを行列Ｂｊに基づいて処理し、ｉはｊに等しくなく、Ｎ≧ｊ≧１、Ｎ≧２であり、Ｂｉは
【数１４１】
0006885659.tif 000143
であり、Ｂｊは
【数１４２】
0006885659.tif 000144
である、請求項２に記載のデータ処理方法。
【請求項５】
前記送信デバイスは更に、変調ベクトルＡｍを行列Ｂｍに基づいて処理し、ｍはｉにもｊにも等しくなく、Ｂｍは
【数１４３】
0006885659.tif 000145
である、または、Ｂｍは
【数１４４】
0006885659.tif 000146
であり、Ｎ≧ｍ≧１、Ｎ≧３である、請求項４に記載のデータ処理方法。
【請求項６】
前記変調ベクトルＡｍを前記行列Ｂｍに基づいて処理した後、前記行列Ｂｉを使用することによって、前記変調ベクトルＡｍに続く変調ベクトルを処理する、請求項５に記載のデータ処理方法。
【請求項７】
前記Ｕ個の変調シンボルは、少なくとも１つの非ゼロ変調シンボルおよび少なくとも１つのゼロ変調シンボルを含む、請求項１から６のいずれか一項に記載のデータ処理方法。
【請求項８】
データ処理方法であって、
送信デバイスがビットのストリームに基づいて、Ｌ層の変調シンボルシーケンスを生成する段階であって、変調シンボルシーケンスの各層はＮ個の変調ベクトルを含み、任意の変調ベクトル
【数１４５】
0006885659.tif 000147
はＵ個の変調シンボルを含み、Ｌは正の整数であり、Ｌ≧２であり、Ｎは正の整数であり、Ｎ≧ｉ≧１、Ｕ≧２、ｌ＝１...Ｌである、段階と、
前記送信デバイスが、異なる複数の行列を循環して使用することによって、変調ベクトル
【数１４７】
0006885659.tif 000148
を処理して変調行列
【数１４８】
0006885659.tif 000149
を生成する段階であって、各変調行列は第１次元においてＴ個のエレメントを含み、Ｔは空間領域リソースの数であり、Ｔ≧２であり、前記変調行列
【数１４９】
0006885659.tif 000150
は、前記ビットのストリームを前記Ｔ個の空間領域リソースにマッピングするために使用される、段階と
を備えるデータ処理方法。
【請求項９】
前記変調ベクトル
【数１５０】
0006885659.tif 000151
はＶ個の非ゼロ変調シンボルを含み、前記行列
【数１５１】
0006885659.tif 000152
は前記第１次元においてＴ個のエレメントシーケンスを含み、前記Ｔ個のエレメントシーケンスのうち少なくとも１つは非ゼロエレメントシーケンスであり、前記非ゼロエレメントシーケンスは少なくとも１つの非ゼロエレメントを含み、前記行列
【数１５２】
0006885659.tif 000153
は第２次元においてＶ個の非ゼロエレメントシーケンスを含み、Ｕ≧Ｖ≧１である、請求項８に記載のデータ処理方法。
【請求項１０】
前記第１次元が行であり、かつ、Ｔ＝２であるとき、前記送信デバイスは前記変調ベクトル
【数１５３】
0006885659.tif 000154
を前記行列
【数１５４】
0006885659.tif 000155
に基づいて処理し、
【数１５５】
0006885659.tif 000156
は
【数１５６】
0006885659.tif 000157
である、または、
【数１５７】
0006885659.tif 000158
は
【数１５８】
0006885659.tif 000159
である、請求項９に記載のデータ処理方法。
【請求項１１】
前記第１次元が行であり、かつ、Ｔ＝２であるとき、前記送信デバイスは、前記変調ベクトル
【数１５９】
0006885659.tif 000160
を前記行列
【数１６０】
0006885659.tif 000161
に基づいて処理し、
【数１６１】
0006885659.tif 000162
を行列
【数１６２】
0006885659.tif 000163
に基づいて処理し、ｉはｊに等しくなく、Ｎ≧ｊ≧１であり、Ｎ≧２であり、
【数１６３】
0006885659.tif 000164
は
【数１６４】
0006885659.tif 000165
であり、
【数１６５】
0006885659.tif 000166
は
【数１６６】
0006885659.tif 000167
である、請求項９に記載のデータ処理方法。
【請求項１２】
前記送信デバイスは更に、変調ベクトル
【数１６７】
0006885659.tif 000168
を行列
【数１６８】
0006885659.tif 000169
に基づいて処理し、ｍはｉにもｊにも等しくなく、
【数１６９】
0006885659.tif 000170
は
【数１７０】
0006885659.tif 000171
である、または、
【数１７１】
0006885659.tif 000172
は
【数１７２】
0006885659.tif 000173
であり、Ｎ≧ｍ≧１、Ｎ≧３である、請求項１１に記載のデータ処理方法。
【請求項１３】
前記変調ベクトル
【数１６７】
0006885659.tif 000174
を前記行列
【数１６８】
0006885659.tif 000175
に基づいて処理した後、前記行列
【数１６３】
0006885659.tif 000176
を使用することによって、前記変調ベクトル
【数１６７】
0006885659.tif 000177
に続く変調ベクトルを処理する、請求項１２に記載のデータ処理方法。
【請求項１４】
前記データ処理方法は更に、
前記送信デバイスが、前記Ｌ層の変調シンボルシーケンスに基づいて生成された前記変調行列
【数１７３】
0006885659.tif 000178
を重畳して、送信予定の行列を生成する段階であって、前記送信予定の行列は前記第１次元にＴ個のエレメントシーケンスを含み、前記送信予定の行列は第２次元にｉ×Ｕ個のエレメントシーケンスを含む、段階を備える、請求項８から１３のいずれか一項に記載のデータ処理方法。
【請求項１５】
送信デバイスであって、
ビットのストリームに基づいて１層の変調シンボルシーケンスを生成するよう構成される変調処理ユニットであって、前記変調シンボルシーケンスはＮ個の変調ベクトルを含み、任意の変調ベクトルＡｉはＵ個の変調シンボルを含み、Ｕ≧２、Ｎ≧ｉ≧１であり、Ｎは正の整数である、変調処理ユニットと、
異なる複数の行列を循環して使用することによって変調ベクトルＡｉを処理して変調行列ｙｉを生成するよう構成されるマッピングユニットであって、各変調行列は第１次元においてＴ個のエレメントを含み、Ｔは空間領域リソースの数であり、Ｔ≧２であり、前記変調行列ｙｉは前記ビットのストリームを前記Ｔ個の空間領域リソースにマッピングするために使用される、マッピングユニットと
を備える送信デバイス。
【請求項１６】
前記変調ベクトルＡｉはＶ個の非ゼロ変調シンボルを含み、行列Ｂｉは前記第１次元においてＴ個のエレメントシーケンスを含み、前記Ｔ個のエレメントシーケンスのうち少なくとも１つは非ゼロエレメントシーケンスであり、前記非ゼロエレメントシーケンスは少なくとも１つの非ゼロエレメントを含み、前記行列Ｂｉは第２次元においてＶ個の非ゼロエレメントシーケンスを含み、Ｕ≧Ｖ≧２である、請求項１５に記載の送信デバイス。
【請求項１７】
前記第１次元が行であり、かつ、Ｔ＝２であるとき、前記マッピングユニットは、変調ベクトルＡｉを前記行列Ｂｉに基づいて処理するよう構成され、Ｂｉは
【数１７４】
0006885659.tif 000179
である、または、Ｂｉは
【数１７５】
0006885659.tif 000180
である、請求項１６に記載の送信デバイス。
【請求項１８】
前記第１次元が行であり、かつ、Ｔ＝２であるとき、前記マッピングユニットは、前記変調ベクトルＡｉを前記行列Ｂｉに基づいて処理し、行列Ｂｊに基づいてＡｊを処理するよう構成され、ｉはｊに等しくなく、Ｎ≧ｊ≧１、Ｎ≧２であり、Ｂｉは
【数１７６】
0006885659.tif 000181
であり、Ｂｊは
【数１７７】
0006885659.tif 000182
である、請求項１６に記載の送信デバイス。
【請求項１９】
前記マッピングユニットは更に、変調ベクトルＡｍを行列Ｂｍに基づいて処理し、ｍはｉにもｊにも等しくなく、Ｂｍは
【数１７８】
0006885659.tif 000183
である、または、Ｂｍは
【数１７９】
0006885659.tif 000184
であり、Ｎ≧ｍ≧１、Ｎ≧３である、請求項１８に記載の送信デバイス。
【請求項２０】
前記変調ベクトルＡｍを前記行列Ｂｍに基づいて処理した後、前記行列Ｂｉを使用することによって、前記変調ベクトルＡｍに続く変調ベクトルを処理する、請求項１９に記載の送信デバイス。
【請求項２１】
送信デバイスであって、
Ｌ層の変調シンボルシーケンスをビットのストリームに基づいて生成するよう構成される変調処理ユニットであって、変調シンボルシーケンスの各層はＮ個の変調ベクトルを含み、任意の変調ベクトル
【数１８０】
0006885659.tif 000185
はＵ個の変調シンボルを含み、Ｌは正の整数であり、Ｌ≧２であり、Ｎは正の整数であり、Ｎ≧ｉ≧１、Ｕ≧２、ｌ＝１...Ｌである、変調処理ユニットと、
異なる複数の行列を循環して使用することによって、変調ベクトル
【数１８２】
0006885659.tif 000186
を処理して変調行列
【数１８３】
0006885659.tif 000187
を生成するよう構成されるマッピングユニットであって、各変調行列は第１次元においてＴ個のエレメントを含み、Ｔは空間領域リソースの数であり、Ｔ≧２であり、前記変調行列
【数１８４】
0006885659.tif 000188
は前記ビットのストリームを前記Ｔ個の空間領域リソースにマッピングするために使用される、マッピングユニットと
を備える送信デバイス。
【請求項２２】
前記変調ベクトル
【数１８５】
0006885659.tif 000189
はＶ個の非ゼロ変調シンボルを含み、前記行列
【数１８６】
0006885659.tif 000190
は前記第１次元においてＴ個のエレメントシーケンスを含み、前記Ｔ個のエレメントシーケンスのうち少なくとも１つは非ゼロエレメントシーケンスであり、前記非ゼロエレメントシーケンスは少なくとも１つの非ゼロエレメントを含み、前記行列
【数１８６】
0006885659.tif 000191
は第２次元においてＶ個の非ゼロエレメントシーケンスを含み、Ｕ≧Ｖ≧１である、請求項２１に記載の送信デバイス。
【請求項２３】
前記第１次元が行であり、かつ、Ｔ＝２であるとき、前記マッピングユニットは、前記変調ベクトル
【数１８７】
0006885659.tif 000192
を前記行列
【数１８８】
0006885659.tif 000193
に基づいて処理するよう構成され、
【数１８９】
0006885659.tif 000194
は
【数１９０】
0006885659.tif 000195
である、または、
【数１９１】
0006885659.tif 000196
は
【数１９２】
0006885659.tif 000197
である、請求項２２に記載の送信デバイス。
【請求項２４】
前記第１次元が行であり、かつ、Ｔ＝２であるとき、前記マッピングユニットは、前記変調ベクトル
【数１９３】
0006885659.tif 000198
を前記行列
【数１９４】
0006885659.tif 000199
に基づいて処理するよう構成され、
【数１９５】
0006885659.tif 000200
を行列
【数１９６】
0006885659.tif 000201
に基づいて処理し、ｉはｊに等しくなく、Ｎ≧ｊ≧１であり、Ｎ≧２であり、
【数１９７】
0006885659.tif 000202
は
【数１９８】
0006885659.tif 000203
であり、
【数１９９】
0006885659.tif 000204
は
【数２００】
0006885659.tif 000205
である、請求項２２に記載の送信デバイス。
【請求項２５】
前記マッピングユニットは更に、変調ベクトル
【数２０１】
0006885659.tif 000206
を行列
【数２０２】
0006885659.tif 000207
に基づいて処理し、ｍはｉにもｊにも等しくなく、
【数２０３】
0006885659.tif 000208
は
【数２０４】
0006885659.tif 000209
である、または、
【数２０５】
0006885659.tif 000210
は
【数２０６】
0006885659.tif 000211
であり、Ｎ≧ｍ≧１、Ｎ≧３である、請求項２４に記載の送信デバイス。
【請求項２６】
前記変調ベクトル
【数２０１】
0006885659.tif 000212
を前記行列
【数２０２】
0006885659.tif 000213
に基づいて処理した後、前記行列
【数１９７】
0006885659.tif 000214
を使用することによって、前記変調ベクトル
【数２０１】
0006885659.tif 000215
に続く変調ベクトルを処理する、請求項２５に記載の送信デバイス。
【請求項２７】
前記送信デバイスは更に、重畳ユニットを含み、前記重畳ユニットは、前記Ｌ層の変調シンボルシーケンスに基づいて生成された前記変調行列
【数２０７】
0006885659.tif 000216
を重畳して送信予定の行列を生成し、前記送信予定の行列は前記第１次元においてＴ個のエレメントシーケンスを含み、前記送信予定の行列は第２次元においてｉ×Ｕ個のエレメントシーケンスを含む、請求項２１から２６のいずれか一項に記載の送信デバイス。
【請求項２８】
コンピュータ上で実行されるときに前記コンピュータに請求項１から７のいずれか一項に記載のデータ処理方法を実行させる命令を含むコンピュータ可読記憶媒体。
【請求項２９】
コンピュータ上で実行されるときに前記コンピュータに請求項１から７のいずれか一項に記載のデータ処理方法を実行させる命令を含むコンピュータプログラム。
【請求項３０】
コンピュータ上で実行されるときに前記コンピュータに請求項８から１３のいずれか一項に記載のデータ処理方法を実行させる命令を含むコンピュータ可読記憶媒体。
【請求項３１】
コンピュータ上で実行されるときに前記コンピュータに請求項８から１３のいずれか一項に記載のデータ処理方法を実行させる命令を含むコンピュータプログラム。
【発明の詳細な説明】
【技術分野】
【０００１】
本願は、通信分野に関し、より具体的には、多元接続に基づく、無線通信システムにおける空間ダイバーシティ技術に関する。
【背景技術】
【０００２】
技術の発展に伴い、疎符号多元接続（英語：ＳＣＭＡ、Ｓｐａｒｓｅ  Ｃｏｄｅ  Ｍｕｌｔｉｐｌｅ  Ａｃｃｅｓｓ）技術、または、直交周波数分割多重化（英語：ＯＦＤＭ、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術などの技術において、複数の端末デバイスは、データ伝送のために同一の時間周波数リソースを共有することが可能となった。つまり、送信デバイスは、伝送予定のビットのストリームに対して符号化および変調を実行して変調シンボルシーケンスを生成し、無線インタフェースを使用することによって変調シンボルシーケンスを受信デバイスへ送信し得る。
【０００３】
現在、多入力多出力（英語：ＭＩＭＯ、Ｍｕｌｔｉ−Ｉｎｐｕｔ  Ｍｕｌｔｉ−Ｏｕｔｐｕｔ）技術が知られている。つまり、送信デバイスおよび受信デバイスが複数のアンテナポートを通してデータを伝送し得て、それにより、システム容量および伝送信頼性を改善する。従って、多入力多出力技術を、疎符号多元接続技術または直交周波数分割多重化技術などの多重化技術と組み合わせ、それにより、通信システムの性能を更に改善させることが期待されている。
【０００４】
システム容量および伝送信頼性を最大限に改善させるべく多入力多出力技術を疎符号分割多元接続技術などの技術とどのように組み合わせるかは、早急に解決される必要がある課題である。
【発明の概要】
【０００５】
本願の実施形態において提供されるデータ処理方法によれば、空間ダイバーシティ利得を符合領域において使用でき、それにより、通信信頼性を改善させる。
【０００６】
第１態様によれば、本願の実施形態は、データ処理方法を提供する。送信デバイスは、変調予定のビットのストリームを処理した後に、１層の変調シンボルシーケンスを生成し、行列を使用することによって、生成された変調シンボルシーケンスを処理してダイバーシティ処理を実装する。
【０００７】
方法は、送信デバイスが、ビットのストリームに基づいて、１層の変調シンボルシーケンスを生成する段階であって、変調シンボルシーケンスはＮ個の変調ベクトルを含み、任意の変調ベクトルＡｉはＵ個の変調シンボルを含み、Ｕ≧２、Ｎ≧ｉ≧１であり、Ｎは正の整数である、段階と、送信デバイスが、行列Ｂｉを使用することによって、変調ベクトルＡｉを処理して変調行列ｙｉを生成する段階であって、各変調行列は第１次元においてＴ個のエレメントを含み、Ｔは空間領域リソースの数であり、Ｔ≧２であり、変調行列ｙｉは、ビットのストリームをＴ個の空間領域リソースにマッピングするために使用される、段階とを備える。
【０００８】
１層の変調シンボルシーケンスをマッピングすることにより、複数のアンテナポートを通して１層の変調シンボルシーケンスを送信でき、その結果、符合領域において空間ダイバーシティ利得が生成され、伝送信頼性が改善される。
【０００９】
変調ベクトルに使用される前述の行列Ｂｉは同一でもよく、または、異なってもよい。従って、異なる行列Ｂｉを使用することにより各変調ベクトルＡｉをより多様な方式でマッピングして種々のシナリオに適合させることができる。
【００１０】
可能な設計において、変調ベクトルＡｉはＶ個の非ゼロ変調シンボルを含む。行列Ｂｉは第１次元においてＴ個のエレメントシーケンスを含む。Ｔ個のエレメントシーケンスのうち少なくとも１つは非ゼロエレメントシーケンスであり、非ゼロエレメントシーケンスは少なくとも１つの非ゼロエレメントを含むエレメントシーケンスである。行列Ｂｉは第２次元においてＶ個の非ゼロエレメントシーケンスを含み、Ｕ≧Ｖ≧１である。
【００１１】
前述の送信デバイスによる、行列Ｂｉに基づく、変調ベクトルＡｉの処理は、変調ベクトルＡｉを行列Ｂｉに基づいてマッピングすることであってよく、その結果、マッピング後に変調シンボルシーケンスをＴ個の空間領域リソースに対応させることができる。
【００１２】
可能な設計において、第１次元が行であり、かつ、Ｔ＝２であるとき、送信デバイスは、行列Ｂｉに基づいて、変調ベクトルＡｉをマッピングし、Ｂｉは
【数１】
0006885659.tif 000002
または
【数２】
0006885659.tif 000003
である。
【００１３】
別の可能な設計において、第１次元が行であり、かつ、Ｔ＝２であるとき、送信デバイスは、変調ベクトルＡｉを行列Ｂｉに基づいてマッピングし、Ａｊを行列Ｂｊに基づいてマッピングし、ｉはｊに等しくなく、Ｎ≧ｊ≧１、Ｎ≧２であり、Ｂｉは
【数３】
0006885659.tif 000004
であり、Ｂｊは
【数４】
0006885659.tif 000005
である。
【００１４】
更に別の可能な設計において、変調ベクトルＡｉを行列Ｂｉに基づいてマッピングし、変調ベクトルＡｊを行列Ｂｊに基づいてマッピングすることに加えて、送信デバイスは更に、変調ベクトルＡｍを行列Ｂｍに基づいてマッピングし、ｍはｉにもｊにも等しくなく、Ｂｍは
【数５】
0006885659.tif 000006
であってよく、または、Ｂｍは
【数６】
0006885659.tif 000007
であってよく、Ｎ≧ｍ≧１、Ｎ≧３である。
【００１５】
前述の可能な設計において、Ｕ個のシンボルは少なくとも１つの非ゼロ変調シンボルおよび少なくとも１つのゼロ変調シンボルを含む。別の可能な設計において、Ｕ個の変調シンボルは代替的に非ゼロ変調シンボルであり得る。
【００１６】
第２態様によれば、本願の実施形態は更に、別のデータ処理方法を提供する。第１態様からの最大の違いは、送信デバイスがビットのストリームに基づいて複数の層の変調シンボルシーケンスを生成し、複数の層の変調シンボルシーケンスを処理し得るという点である。データ処理方法は、送信デバイスが、ビットのストリームに基づいてＬ層の変調シンボルシーケンスを生成する段階であって、変調シンボルシーケンスの各層はＮ個の変調ベクトルを含み、任意の変調ベクトル
【数７】
0006885659.tif 000008
はＵ個の変調シンボルを含み、Ｌは正の整数であり、Ｌ≧２であり、Ｎは正の整数であり、Ｎ≧ｉ≧１、Ｕ≧２、ｌ＝１...Ｌである、段階と、送信デバイスが、行列
【数８】
0006885659.tif 000009
を使用することによって変調ベクトル
【数９】
0006885659.tif 000010
を処理して変調行列
【数１０】
0006885659.tif 000011
を生成する段階であって、各変調行列は、第１次元においてＴ個のエレメントを含み、Ｔは空間領域リソースの数であり、Ｔ≧２であり、変調行列
【数１１】
0006885659.tif 000012
はビットのストリームをＴ個の空間領域リソースにマッピングするのに使用される、段階とを備える。
【００１７】
第１態様におけるデータ処理方法と比較すると、第２態様におけるデータ処理方法において、送信デバイスは、ビットのストリームに基づいて複数の層の変調シンボルシーケンスを生成し、複数の層の変調シンボルシーケンスを処理し得る。
【００１８】
可能な設計において、変調ベクトル
【数１２】
0006885659.tif 000013
はＶ個の非ゼロ変調シンボルを含み、行列
【数１３】
0006885659.tif 000014
は第１次元においてＴ個のエレメントシーケンスを含み、Ｔ個のエレメントシーケンスのうち少なくとも１つは非ゼロエレメントシーケンスであり、非ゼロエレメントシーケンスは少なくとも１つの非ゼロエレメントを含み、行列
【数１４】
0006885659.tif 000015
は第２次元においてＶ個の非ゼロエレメントシーケンスを含み、Ｕ≧Ｖ≧１である。
【００１９】
第１次元が行であり、かつ、Ｔ＝２であるとき、送信デバイスは、変調ベクトル
【数１５】
0006885659.tif 000016
を行列
【数１６】
0006885659.tif 000017
に基づいてマッピングし、
【数１７】
0006885659.tif 000018
は
【数１８】
0006885659.tif 000019
または
【数１９】
0006885659.tif 000020
である。
【００２０】
別の可能な設計において、第１次元が行であり、かつ、Ｔ＝２であるとき、送信デバイスは、変調ベクトル
【数２０】
0006885659.tif 000021
を行列
【数２１】
0006885659.tif 000022
に基づいてマッピングし、
【数２２】
0006885659.tif 000023
を行列
【数２３】
0006885659.tif 000024
に基づいてマッピングし、ｉはｊに等しくなく、Ｎ≧ｊ≧１、Ｎ≧２であり、
【数２４】
0006885659.tif 000025
は
【数２５】
0006885659.tif 000026
であり、
【数２６】
0006885659.tif 000027
は
【数２７】
0006885659.tif 000028
である。
【００２１】
更に別の可能な設計において、変調ベクトル
【数２８】
0006885659.tif 000029
を行列
【数２９】
0006885659.tif 000030
に基づいてマッピングし、変調ベクトル
【数３０】
0006885659.tif 000031
を行列
【数３１】
0006885659.tif 000032
に基づいてマッピングすることに加えて、送信デバイスは更に、変調ベクトル
【数３２】
0006885659.tif 000033
を行列
【数３３】
0006885659.tif 000034
に基づいてマッピングし、ｍはｉにもｊにも等しくなく、
【数３４】
0006885659.tif 000035
は
【数３５】
0006885659.tif 000036
であってよく、または、
【数３６】
0006885659.tif 000037
は
【数３７】
0006885659.tif 000038
であってよく、Ｎ≧ｍ≧１、Ｎ≧３である。
【００２２】
更に別の可能な設計において、データ処理方法は更に、送信デバイスが、Ｌ層の変調シンボルシーケンスに基づいてそれぞれ生成される変調行列
【数３８】
0006885659.tif 000039
を重畳して、送信予定の行列を生成する段階であって、送信予定の行列は第１次元においてＴ個のエレメントシーケンスを含み、送信予定の行列は第２次元においてｉ×Ｕ個のエレメントシーケンスを含む、段階を備える。
【００２３】
第３態様によれば、本願の実施形態は送信デバイスを提供し、送信デバイスは、第１態様または第２態様の方法設計の段階を実装する機能を有する。その機能はハードウェアによって実装されてよく、または、対応するソフトウェアを実行するハードウェアによって実装されてよい。ハードウェアまたはソフトウェアは、前述の機能に対応する１または複数のモジュールを含む。モジュールはソフトウェアおよび／またはハードウェアであってよい。
【００２４】
第４態様によれば、本願の実施形態は送信デバイスを提供する。送信デバイスは変調プロセッサ、送信機、コントローラ／プロセッサ、メモリおよびアンテナを含む。変調プロセッサは、第１態様または第２態様に係るデータ処理方法を実行するよう構成される。変調プロセッサは、ビットのストリームを処理して変調シンボルシーケンスを生成し、生成された変調シンボルシーケンスを行列に基づいて処理し、それにより、送信デバイスが第１態様および第２態様の方法設計の解決手段を実装することをサポートする。
【００２５】
第５態様によれば、本願の実施形態は、前述の送信デバイスによって使用されるコンピュータソフトウェア命令を記憶するよう構成されるコンピュータ記憶媒体を提供する。コンピュータ記憶媒体は先述の態様を実行するためのプログラムを含む。
【００２６】
先述の態様の送信デバイスは、例えば基地局などのネットワーク側デバイスであってよく、または、端末側デバイスであってよい。
【００２７】
従来技術と比較すると、本願において提供される解決手段では、シンボルシーケンスに基づいて、リソースマッピング中の空間ダイバーシティを実行できる。この結果、ダイバーシティ利得がもたらされ、これにより、通信信頼性が改善する。
【図面の簡単な説明】
【００２８】
以下では、添付図面を参照して、本願の実施形態をより詳細に説明する。
【００２９】
【図１】本願に係る可能な通信ネットワークの概略図である。
【００３０】
【図２】本願の実施形態に係るデータ処理方法の概略的フローチャートである。
【００３１】
【図３】本願の実施形態に係るコードブックマッピングの概略図である。
【００３２】
【図４】本願の実施形態に係る変調行列マッピングの概略図である。
【００３３】
【図５】本願の実施形態に係る変調行列マッピングの別の概略図である。
【００３４】
【図６】本願の実施形態に係る変調行列マッピングの更に別の概略図である。
【００３５】
【図７】本願の実施形態に係る別のデータ処理方法の概略的フローチャートである。
【００３６】
【図８】本願の実施形態に係る変調行列マッピングおよび重畳の概略図である。
【００３７】
【図９】本願の実施形態に係る送信デバイスのユニットの概略図である。
【００３８】
【図１０】本願の実施形態に係る別の送信デバイスのユニットの概略図である。
【００３９】
【図１１】本願の実施形態に係る送信デバイスの概略構造図である。
【００４０】
【図１２】本願の実施形態に係る受信デバイスの概略構造図である。
【発明を実施するための形態】
【００４１】
本願の実施形態における添付図面を参照して、本願の実施形態における技術的解決手段が以下で明確かつ完全に説明される。説明されている実施形態は、本願の実施形態の一部であって、全部ではないことは明らかである。創造的な取り組み無しに本願の実施形態に基づいて当業者により取得されるすべての他の実施形態は、本願の保護範囲内に属することとなる。
【００４２】
本明細書において使用される、「コンポーネント」、「モジュール」、および「システム」などの用語は、コンピュータ関連エンティティ、ハードウェア、ファームウェア、ハードウェアとソフトウェアとの組み合わせ、ソフトウェア、または、実行されているソフトウェアを示すのに使用される。例えば、コンポーネントは、プロセッサ上で実行されるプロセス、プロセッサ、オブジェクト、実行可能ファイル、実行スレッド、プログラム、および／または、コンピュータであってよいが、これらに限定されるものではない。図において示されるように、コンピューティングデバイス、および、コンピューティングデバイス上で実行されるアプリケーションの両方は、コンポーネントであってよい。１または複数のコンポーネントは、プロセスおよび／または実行スレッド内に存在し得て、コンポーネントは、１つのコンピュータ上に配置され得るか、および／または、２つもしくはそれより多くのコンピュータの間で分散されてよい。加えて、これらのコンポーネントは、様々なデータ構造を記憶する様々なコンピュータ可読媒体から実行されてよい。例えば、コンポーネントは、ローカルおよび／またはリモートのプロセスを使用することによって、ならびに、例えば、１または複数のデータパケット（例えば、信号を使用することによって他のシステムとインタラクトするインターネットなどのネットワーク、ローカルシステム、および／または、分散システムの間で別のコンポーネントとインタラクトする２つのコンポーネントからのデータ）を有する信号に基づいて、通信を実行し得る。
【００４３】
実施形態は本願において端末を参照して説明される。端末は、ユーザ装置（英語：ＵＥ、Ｕｓｅｒ  Ｅｑｕｉｐｍｅｎｔ）、アクセス端末、加入者ユニット、加入者局、移動局、移動コンソール、遠隔局、遠隔端末、モバイルデバイス、ユーザ端末、端末、無線通信デバイス、ユーザエージェント、またはユーザ機器などとも称され得る。アクセス端末は、セルラ電話、コードレス電話、ＳＩＰ（セッションイニシエーションプロトコル、英語：Ｓｅｓｓｉｏｎ  Ｉｎｉｔｉａｔｉｏｎ  Ｐｒｏｔｏｃｏｌ）電話、ＷＬＬ（ワイヤレスローカルループ、英語：Ｗｉｒｅｌｅｓｓ  Ｌｏｃａｌ  Ｌｏｏｐ）局、ＰＤＡ（携帯情報端末、英語：Ｐｅｒｓｏｎａｌ  Ｄｉｇｉｔａｌ  Ａｓｓｉｓｔａｎｔ）、無線通信機能を有するハンドヘルドデバイス、コンピューティングデバイス、無線モデムに接続された別の処理デバイス、車載デバイス、ウェアラブルデバイス、または、今後の５Ｇネットワークにおける端末デバイスであってよい。
【００４４】
加えて、実施形態は、本願においてネットワークデバイスを参照して説明される。ネットワークデバイスは、モバイルデバイスと通信するためにネットワーク側によって使用されるデバイスであってよく、ネットワーク側デバイスは、ＧＳＭ（登録商標）（移動体通信用グローバルシステム、英語：Ｇｌｏｂａｌ  Ｓｙｓｔｅｍ  ｆｏｒ  Ｍｏｂｉｌｅ  ｃｏｍｍｕｎｉｃａｔｉｏｎｓ）またはＣＤＭＡ（符号分割多元接続、英語：Ｃｏｄｅ  Ｄｉｖｉｓｉｏｎ  Ｍｕｌｔｉｐｌｅ  Ａｃｃｅｓｓ）におけるＢＴＳ（ベーストランシーバ基地局、Ｂａｓｅ  Ｔｒａｎｓｃｅｉｖｅｒ  Ｓｔａｔｉｏｎ）であってよく、または、ＷＣＤＭＡ（登録商標）（広帯域符号分割多元接続、英語：Ｗｉｄｅｂａｎｄ  Ｃｏｄｅ  Ｄｉｖｉｓｉｏｎ  Ｍｕｌｔｉｐｌｅ  Ａｃｃｅｓｓ）におけるＮＢ（ノードＢ、英語：ＮｏｄｅＢ）であってよく、または、ＬＴＥ（ロングタームエボリューション、英語：Ｌｏｎｇ  Ｔｅｒｍ  Ｅｖｏｌｕｔｉｏｎ）におけるｅＮＢもしくはｅＮｏｄｅＢ（次世代型ノードＢ、Ｅｖｏｌｕｔｉｏｎａｌ  Ｎｏｄｅ  Ｂ）、中継局またはアクセスポイント、車載デバイス、ウェアラブルデバイス、今後の５Ｇネットワークなどにおけるネットワーク側デバイスであってよい。本明細書において、ネットワークデバイスが基地局である例が、説明のために使用される。
【００４５】
加えて、本願の態様または特徴は、標準的なプログラミングおよび／または工学技術を使用する方法、機器、または製品として実装されてよい。本願で使用される「製品」という用語は、任意のコンピュータ可読コンポーネント、キャリア、または媒体からアクセスできるコンピュータプログラムを包含する。例えば、コンピュータ可読媒体は、これらに限定されないが、磁気記憶コンポーネント（例えば、ハードディスク、フロッピー（登録商標）ディスク、または、磁気テープ）、光ディスク（例えば、ＣＤ（コンパクトディスク、英語：Ｃｏｍｐａｃｔ  Ｄｉｓｋ）、ＤＶＤ（デジタルバーサタイルディスク、英語：Ｄｉｇｉｔａｌ  Ｖｅｒｓａｔｉｌｅ  Ｄｉｓｋ）、スマートカード、および、フラッシュメモリコンポーネント（例えば、ＥＰＲＯＭ（消去可能プログラマブルリードオンリーメモリ、英語：Ｅｒａｓａｂｌｅ  Ｐｒｏｇｒａｍｍａｂｌｅ  Ｒｅａｄ−Ｏｎｌｙ  Ｍｅｍｏｒｙ）、カード、スティック、または、キードライブ）を含み得る。加えて、本明細書に説明されている様々な記憶媒体は、情報を記憶するように構成される、１または複数のデバイス、および／または、他の機械可読媒体を示し得る。「機械可読媒体」という用語は、これらに限定されないが、無線チャネル、ならびに、命令および／またはデータを記憶、保管、および／または、運搬できる、様々な他の媒体を含み得る。
【００４６】
図１は、本願のデータ処理方法を使用する通信システムの概略図である。図１に示すように、無線通信システム１００は、少なくとも、送信デバイス１０１および受信デバイス１０２を含む。送信デバイス１０１は少なくとも２つのアンテナを含む。例えば、送信デバイス１０１は、送信アンテナＴｘ１およびＴｘ２を含む。受信デバイス１０２は少なくとも１つのアンテナを含む。例えば、受信デバイス１０２は、受信アンテナＲｘ１を含む。図１における送信デバイス１０１および受信デバイス１０２について、限定された数のアンテナが示されているが、送信デバイス１０１および受信デバイス１０２の両方はより多くのアンテナを使用し得る。複数のアンテナを使用する送信デバイスは、複数のアンテナの受信機能も有する。複数のアンテナを使用する受信デバイスは、複数のアンテナの送信機能も有する。前述のアンテナは、基準信号に対応する物理的アンテナまたは論理ポート（アンテナポート（英語：ａｎｔｅｎｎａ  ｐｏｒｔ）と称されてよい）であってよい。
【００４７】
送信デバイス１０１はネットワーク側デバイスまたは端末デバイスであってよい。送信デバイス１０１がネットワーク側デバイスであるとき、受信デバイス１０２は端末デバイスである。または、送信デバイス１０１が端末デバイスであるとき、受信デバイス１０２はネットワーク側デバイスである。
【００４８】
図２は、本願の実施形態に係るデータ処理方法２００の概略的フローチャートである。データ処理方法２００は主に送信デバイスに適用される。送信デバイスは、ネットワークデバイス（例えば、前述のネットワークデバイスの１つ）であってよい。言い換えれば、方法２００をダウンリンク伝送に適用できる。代替的に、送信デバイスは端末デバイス（例えば、前述のユーザ装置の１つ）であってよい。言い換えれば、方法２００をアップリンク伝送に適用できる。図２に示すように、データ処理方法２００は以下の段階を含む。
【００４９】
Ｓ２０１：送信デバイスは、ビットのストリームに基づいて、１層の変調シンボルシーケンスを生成し、変調シンボルシーケンスはＮ個の変調ベクトルを含み、任意の変調ベクトルＡｉはＵ個の変調シンボルを含み、Ｕ≧２、Ｎ≧ｉ≧１であり、Ｎは正の整数である。
【００５０】
Ｓ２０２：送信デバイスが、行列Ｂｉを使用することによって変調ベクトルＡｉを処理して変調行列ｙｉを生成し、変調行列ｙｉは第１次元においてＴ個のエレメントを含み、Ｔは、ビットのストリームを伝送するのに使用される空間領域リソースの数であり、Ｔ≧２であり、変調行列ｙｉは、ビットのストリームをＴ個の空間領域リソースにマッピングするのに使用される。例えば、空間領域リソースは、アンテナまたはアンテナポートであってよい。以下では、説明のための例として「アンテナポート」を使用する。
【００５１】
本実施形態において提供されるデータ処理方法によれば、送信デバイスは、１層の変調シンボルシーケンスをＴ個のアンテナポートにマッピングし、マッピングされた１層の変調シンボルを送信し、その結果、符合領域において空間ダイバーシティ利得を生成でき、ビットエラーレートが低下し、これにより、通信信頼性が改善する。
【００５２】
受信デバイス側では、受信デバイスは、変調行列ｙｉに基づくマッピングを通して取得される、送信デバイスからの信号を受信し、各層で、変調および符号化方式ならびにマッピング方式に従って、対応する復号を完了する。
【００５３】
以下では、端末が送信デバイス（つまり、本願の本実施形態における方法２００の実行主体）として使用される例を使用して、前述の方法２００の手順を詳細に説明する。
【００５４】
まず、段階Ｓ２０１を更に説明する。段階Ｓ２０１において、送信デバイスは、多元接続方式でビットのストリームを処理し、変調シンボルシーケンスを生成し得る。多元接続方式は、以下の直交または非直交多元接続技術、すなわち、疎符号分割多元接続ＳＣＭＡ方式、直交周波数分割多重化ＯＦＤＭ技術、周波数分割多重接続（英語：Ｆｒｅｑｕｅｎｃｙ  Ｄｉｖｉｓｉｏｎ  Ｍｕｌｔｉｐｌｅ  Ａｄｄｒｅｓｓ，ＦＤＭＡ）方式、時分割多元接続（英語：Ｔｉｍｅ  Ｄｉｖｉｓｉｏｎ  Ｍｕｌｔｉｐｌｅ  Ａｃｃｅｓｓ，ＴＤＭＡ）方式、符号分割多元接続（英語：Ｃｏｄｅ  Ｄｉｖｉｓｉｏｎ  Ｍｕｌｔｉｐｌｅ  Ａｃｃｅｓｓ，ＣＤＭＡ）方式、パターン分割多元接続（英語：Ｐａｔｔｅｒｎ  Ｄｉｖｉｓｉｏｎ  Ｍｕｌｔｉｐｌｅ  Ａｃｃｅｓｓ，ＰＤＭＡ）方式、非直交多元接続（英語：Ｎｏｎ−Ｏｒｔｈｏｇｏｎａｌ  Ｍｕｌｔｉｐｌｅ  Ａｃｃｅｓｓ，ＮＯＭＡ）方式、または、多ユーザ共有接続（英語：Ｍｕｌｔｉ−Ｕｓｅｒ  Ｓｈａｒｅｄ  Ａｃｃｅｓｓ，ＭＵＳＡ）方式などのうちの１つであってよく、その結果、本願の本実施形態において使用される通信システムは、複数のユーザをサポートできる。以下では、ＳＣＭＡは説明のための例として使用される。ＳＣＭＡを使用するシステムでは、送信デバイスは、多次元変調および疎拡散スペクトルを使用することによって、ビットのストリームをＳＣＭＡ符号ワードにマッピングし、受信デバイスはマルチユーザ検出に基づいて復号を完了する。
【００５５】
以下では、まずＳＣＭＡコードブックを例として説明する。図３は、ＳＣＭＡコードブックマッピングの簡略概略図である。ＳＣＭＡコードブックは、ゼロシンボル（空白部分）および非ゼロシンボル（網掛け部分）を含み、各ＳＣＭＡコードブックは、非ゼロシンボルの位置を使用することによって区別される。説明を容易にするべく、因子グラフ（英語：Ｆａｃｔｏｒ  ｇｒａｐｈ）を使用してコードブックとリソースエレメント（英語：Ｒｅｓｏｕｒｃｅ  Ｅｌｅｍｅｎｔ、略称：ＲＥ）との間の対応関係を表すことができる。バリアブルノード（英語：Ｖａｒｉａｂｌｅ  Ｎｏｄｅ、略称：ＶＮ）は、異なるＳＣＭＡコードブックを使用する送信デバイスに対応し、Ｖ１からＶ６によってそれぞれ表される。ファンクションノード（英語：Ｆｕｎｃｔｉｏｎ  Ｎｏｄｅ、略称：ＦＮ）は異なるＲＥに対応する。ＶＮがＦＮに接続されているとき、このことは、送信デバイスが対応するＲＥで非ゼロ変調シンボルを送信することを示す。または、ＶＮがＦＮに接続されていないとき、このことは、送信デバイスが対応するＲＥでゼロ変調シンボルを送信することを示す。前述では、４個のリソースエレメントで６個の送信デバイスのデータをどのように搬送するかを説明するための例として、６個の送信デバイスを使用する。
【００５６】
１つの送信デバイスは、同一のＳＣＭＡコードブックを使用することによってビットのストリームを処理して１層の変調シンボルシーケンスを生成し得る、または、異なるＳＣＭＡコードブックを使用することによってビットのストリームを処理して１層の変調シンボルシーケンスを生成し得る。任意選択で、変調ベクトルＡｉは、Ｕ個の変調シンボルを含み得て、Ｕ個の変調シンボルは、少なくとも１つの非ゼロ変調シンボルおよび少なくとも１つのゼロ変調シンボルを含み得る。例えば、使用される異なるＳＣＭＡコードブックに基づき、変調シンボルシーケンスにおける変調ベクトルＡｉの長さは４、つまり、Ｕ＝４である。図３を参照すると、コードブック１を使用する変調ベクトルＡｉは、
【数３９】
0006885659.tif 000040
の形式で表されてよく、コードブック２を使用する変調ベクトルＡｉは、
【数４０】
0006885659.tif 000041
の形式で表されてよく、コードブック３を使用する変調ベクトルＡｉは、
【数４１】
0006885659.tif 000042
の形式で表されてよく、コードブック４を使用する変調ベクトルＡｉは、
【数４２】
0006885659.tif 000043
の形式で表されてよく、コードブック５を使用する変調ベクトルＡｉは、
【数４３】
0006885659.tif 000044
の形式で表されてよく、コードブック６を使用する変調ベクトルＡｉは、
【数４４】
0006885659.tif 000045
の形式で表されてよい。本願におけるｘ１、ｘ２、ｘ３、ｘ４は、対応する位置が非ゼロ変調シンボルであることを示すために使用され、非ゼロ変調シンボルの値を限定するために使用されるわけではないことに留意されたい。別の実装において、変調ベクトルＡｉにおけるＵ個の変調シンボルは非ゼロ変調シンボルである。
【００５７】
同一のＳＣＭＡコードブックを使用するとき、送信デバイスは、ＳＣＭＡコードブックを使用することにより、ビットのストリームにおける単位数（例えば、２ビットまたは４ビット）のビットを順次処理し、１層の変調シンボルシーケンスを生成する。１層の変調シンボルシーケンスは、Ｎ個の変調ベクトルを含み、各変調ベクトルは、単位数のビットに対応する。単位数のビットは、同一のＳＣＭＡコードブックを使用するので、生成された変調ベクトルにおける非ゼロエレメントの位置は同一である、つまり、形式が同一である。例えば、変調ベクトルＡｉは、
【数４５】
0006885659.tif 000046
の形式で表されてよく、または、
【数４６】
0006885659.tif 000047
の形式で表されてよく、本願においてこれに限定されることはない。
【００５８】
異なるＳＣＭＡコードブックを使用するとき、送信デバイスは、異なるＳＣＭＡコードブックを使用することによって、ビットのストリームにおける単位数のビットを順次処理し、１層の変調シンボルシーケンスを生成する。複数のＳＣＭＡコードブックを循環方式で使用でき、または、ランダム方式で使用できる。１層の変調シンボルシーケンスは、Ｎ個の変調ベクトルを含み、各変調ベクトルは、単位数のビットに対応する。単位数のビットは異なるＳＣＭＡコードブックを使用するので、生成された変調ベクトルにおける非ゼロ変調シンボルの位置は異なる、つまり、形式が異なる。例えば、変調ベクトルＡ１は、
【数４７】
0006885659.tif 000048
の形式で表されてよく、変調ベクトルＡ２は、
【数４８】
0006885659.tif 000049
の形式で表されてよい。本願はこれに限定されることはない。
【００５９】
段階Ｓ２２０において、送信デバイスは、行列Ｂｉを使用することによって変調ベクトルＡｉを処理して変調行列ｙｉを生成し、変調行列ｙｉは第１次元においてＴ個のエレメントを含む。Ｔは、ビットのストリームを伝送するのに使用されるアンテナポートの数であり、変調行列ｙｉは、ビットのストリームをＴ個のアンテナポートにマッピングするのに使用される。
【００６０】
具体的には、送信デバイスは、行列Ｂｉを使用することによってマッピングを実行して変調行列ｙｉを生成し、変調行列ｙｉは第１次元においてＴ個のエレメントを含む。言い換えれば、変調行列ｙｉは第１次元においてＴ個のエレメントシーケンスを含む。各エレメントシーケンスはアンテナポートに対応し、その結果、変調行列ｙｉはＴ個のアンテナポートにマッピングされる。このようにして、行列Ｂｉを使用することによりマッピングを実行することによって、変調ベクトルＡｉに基づいて、符合領域における空間ダイバーシティ利得を達成でき、ビットエラーレートが低下する。
【００６１】
以下において、行列Ｂｉが説明される。行列Ｂｉの次元は行および列を含む。第１次元は、行列Ｂｉの行であってよく、第２次元は行列の列である。代替的に、第１次元は行列の列であってよく、第２次元は行列の行であってよい。これは具体的には限定されない。本願の本実施形態において、第１次元は行列Ｂｉの行であり、第２次元は行列Ｂｉの列である。
【００６２】
各行列Ｂｉの少なくとも１つの次元（この実装では第１次元）に含まれるエレメントの数はＴであり、その結果、マッピング後に取得される変調行列ｙｉの少なくとも１つの次元は、Ｔ個のエレメントシーケンスを含む。任意選択で、Ｔ個のエレメントシーケンスのうち少なくとも１つは非ゼロエレメントシーケンスであり、非ゼロエレメントシーケンスは、少なくとも１つの非ゼロエレメントを含むエレメントシーケンスである。
【００６３】
第２次元において、行列Ｂｉは、変調ベクトルＡｉにおける変調シンボルの数と異なる数のエレメントシーケンスを含み得る（事例１）。代替的に、第２次元において、行列Ｂｉは、変調ベクトルＡｉにおける変調シンボルの数と同一の数のエレメントシーケンスを含み得る（事例２）。以下では、２つの事例を別々に説明する。
【００６４】
［事例１］
【００６５】
行列Ｂｉは、第２次元においてＶ個のエレメントシーケンスを含み、Ｖ個のエレメントシーケンスは非ゼロエレメントシーケンスである。すべての非ゼロエレメントシーケンスは、変調ベクトルＡｉにおけるすべての非ゼロ変調シンボルに対応する。
【００６６】
例えば、変調ベクトルＡｉは、
【数４９】
0006885659.tif 000050
の形式で表され、Ｔ＝２（つまり、２つのアンテナポート）である。行列Ｂｉは
【数５０】
0006885659.tif 000051
であってよく、この事例において、すべての変調ベクトルは同一のＢｉを使用する。行列Ｂｉは対角行列であり、行列Ｂｉは行において２つのエレメントシーケンス（つまりＴ＝２）を含み、これらは２つのアンテナポートに対応することが分かる。行列Ｂｉは、列において２つのエレメントシーケンスを含み、２つのエレメントシーケンスは非ゼロエレメントシーケンスであり、変調ベクトルＡｉにおける２つの非ゼロ変調シンボルに対応する。前述の処理を通して、
【数５１】
0006885659.tif 000052
は、２つのアンテナポートに対応するエレメントシーケンスにマッピングされる。
【００６７】
次に、マッピング処理は更に、
【数５２】
0006885659.tif 000053
を例として使用することによって説明される。以下のマッピング処理において、式Ｑ＝ｍａｐ（Ｒ，Ｃ）が使用され、Ｒは行ベクトルであり、ＱおよびＣは行列であり、Ｒの列の数はＣの行の数に等しい。マッピング操作は具体的には、以下の通りである。Ｑの各列は、転置されたＲの各列ベクトルと、Ｃの各列ベクトルとのドット積により取得される。
【００６８】
まず、送信デバイスは、非ゼロ変調シンボル
【数５３】
0006885659.tif 000054
を
【数５４】
0006885659.tif 000055
から選択し、行列Ｂｉ＝
【数５５】
0006885659.tif 000056
に基づいて以下の行列
【数５６】
0006885659.tif 000057
を生成する。つまり、Ａｉ'の第１列および第２列はそれぞれ、転置された行ベクトル
【数５７】
0006885659.tif 000058
とＢｉの第１列
【数５８】
0006885659.tif 000059
とのドット積、および、転置された行ベクトル
【数５９】
0006885659.tif 000060
とＢｉの第２列
【数６０】
0006885659.tif 000061
とのドット積によって取得され、以下のマッピング操作はこれと同様である。ゼロは、
【数６１】
0006885659.tif 000062
におけるゼロ変調シンボルの位置に基づいて行列Ａｉ'に追加され、変調行列ｙｉ＝
【数６２】
0006885659.tif 000063
を生成する。
【００６９】
変調行列ｙｉは２列のエレメントを含み、送信デバイスは２列のエレメントを２つのアンテナポートにマッピングする。図４は、変調行列ｙｉのリソースマッピングの概略図である。ｙｉにおける第１列のエレメントは、Ｔｘ１に対応するリソースエレメントＲＥ＃１〜ＲＥ＃４にマッピングされ、第２列のエレメントは、Ｔｘ２に対応するリソースエレメントＲＥ＃１〜ＲＥ＃４にマッピングされる。別の実装において、代替的に、ｙｉにおける第１列のエレメントをＴｘ２にマッピングでき、代替的に、第２列のエレメントをＴｘ１にマッピングできる。
【００７０】
任意選択で、代替的に、行列Ｂｉは
【数６３】
0006885659.tif 000064
であってよい。まず、送信デバイスは非ゼロ変調シンボル
【数６４】
0006885659.tif 000065
を
【数６５】
0006885659.tif 000066
から選択し、行列Ｂｉに基づいて以下の行列
【数６６】
0006885659.tif 000067
を生成する。
【数６７】
0006885659.tif 000068
におけるゼロ変調シンボルの位置に基づいて、ゼロが行列Ａｉ'に追加され、変調行列ｙｉ＝
【数６８】
0006885659.tif 000069
を生成する。
【００７１】
変調行列ｙｉは２列のエレメントを含み、送信デバイスは２列のエレメントを２つのアンテナポートにマッピングする。図５は変調行列ｙｉのリソースマッピングの概略図である。
【００７２】
いくつかの他の実装において、送信デバイスは代替的に、２つの行列ＢｉおよびＢｊを循環することによって１層の変調シンボルシーケンスを処理し得る。処理された変調ベクトルの形式は、同一であってよく、または、異なってよく、ここではこれに限定されることはない。具体的には、送信デバイスは、変調ベクトルＡｉを行列Ｂｉに基づいて処理し、変調ベクトルＡｊを行列Ｂｊに基づいて処理し、ＢｉおよびＢｊは異なり、ｉはｊに等しくなく、Ｎ≧ｊ≧１であり、Ｎ≧２である。以下において、同一のコードブックを使用することによって生成される１層の変調シンボルシーケンスにおける２つの変調ベクトルＡｉおよびＡｊは、説明のための例として使用され、２つの変調ベクトルＡｉとＡｊとの間の位置関係は、隣接であっても、または、非隣接であってもよい。２つの変調ベクトルＡｉおよびＡｊの形式は同一であってよく、または、異なってよい。以下では、同一の形式の隣接する変調ベクトルＡｉおよびＡｊは、説明のための例として使用される。
【００７３】
具体的には、送信デバイスは、行列Ｂｉを使用することによって変調ベクトルＡｉをマッピングし、行列Ｂｊを使用することによって変調ベクトルＡｊをマッピングし、２つの変調ベクトルＡｉおよびＡｊは
【数６９】
0006885659.tif 000070
の形式で表される。
【００７４】
変調ベクトルＡｉについて、送信デバイスは、非ゼロ変調シンボル
【数７０】
0006885659.tif 000071
を
【数７１】
0006885659.tif 000072
から選択し、行列Ｂｉ＝
【数７２】
0006885659.tif 000073
に基づいて以下の行列
【数７３】
0006885659.tif 000074
を生成する。送信デバイスは、
【数７４】
0006885659.tif 000075
におけるゼロ変調シンボルの位置に基づいて、ゼロを行列Ａｉ'に追加し、変調行列ｙｉ＝
【数７５】
0006885659.tif 000076
を生成する。
【００７５】
変調行列ｙｉは２列のエレメントを含み、２列のエレメントは２つのアンテナポートにマッピングされる。ｙｉにおける第１列のエレメントは、Ｔｘ１に対応するリソースエレメントＲＥ＃１〜ＲＥ＃４にマッピングされ、第２列のエレメントは、Ｔｘ２に対応するリソースエレメントＲＥ＃１〜ＲＥ＃４にマッピングされる。
【００７６】
変調ベクトルＡｉについて、送信デバイスは、非ゼロ変調シンボル
【数７６】
0006885659.tif 000077
を変調ベクトルＡｊから選択し、行列Ｂｊ＝
【数７７】
0006885659.tif 000078
に基づいて以下の行列
【数７８】
0006885659.tif 000079
を生成する。
送信デバイスは、
【数７９】
0006885659.tif 000080
におけるゼロ変調シンボルの位置に基づいて、ゼロを行列Ａｉ'に追加し、以下の変調行列ｙｊ＝
【数８０】
0006885659.tif 000081
を生成する。
【００７７】
変調行列ｙｉは２列のエレメントを含み、２列のエレメントは２つのアンテナポートにマッピングされる。ｙｉにおける第１列のエレメントは、Ｔｘ１に対応するリソースエレメントＲＥ＃５からＲＥ＃８にマッピングされ、第２列のエレメントは、Ｔｘ２に対応するリソースエレメントＲＥ＃５からＲＥ＃８にマッピングされる。
【００７８】
図６は、本実装における変調行列ｙｉおよびｙｊのリソースマッピングの概略図である。
【００７９】
別の実装において、行列ＢｉおよびＢｊを循環させる前述の方式に基づき、送信デバイスは代替的に、変調ベクトルＡｍを別の行列Ｂｍに基づいてマッピングし得て、ｍはｉにもｊにも等しくなく、Ｎ≧ｍ≧１、Ｎ≧３である。Ｂｍは
【数８１】
0006885659.tif 000082
である、または、Ｂｍは
【数８２】
0006885659.tif 000083
である。送信デバイスは、３つの行列Ｂｉ、Ｂｊ、およびＢｍを循環させることによって、変調シンボルシーケンスにおける各変調ベクトルをマッピングできる。例えば、送信デバイスは、行列Ｂｉを使用することによって、変調ベクトルＡｉをマッピングし、行列Ｂｊを使用することによって、変調ベクトルＡｊをマッピングし、Ｂｍを使用することによって、変調ベクトルＡｍをマッピングする。サイクルを完了した後、送信デバイスは、行列Ｂｉを使用することによって、変調ベクトルＡｍに続く変調ベクトルの処理を継続する。別の実装において、送信デバイスは代替的に、前述の４またはより多くの行列を使用することによって、１層の変調シンボルシーケンスを処理し得る。
【００８０】
事例２
【００８１】
行列Ｂｉは、第２次元においてＵ個のエレメントシーケンスを含み、Ｕ個のエレメントシーケンスは、変調ベクトルＡｉにおけるＵ個の変調シンボルに対応する。Ｕ個のエレメントシーケンスはＶ個の非ゼロエレメントシーケンスを含み、Ｕ個のエレメントシーケンスにおけるＶ個の非ゼロエレメントシーケンスの位置は、Ｕ個の変調シンボルにおけるＶ個の非ゼロ変調シンボルの位置と同一である。
【００８２】
【数８３】
0006885659.tif 000084
および２つのアンテナポート（Ｔ＝２）が例として使用される。行列Ｂｉは
【数８４】
0006885659.tif 000085
であってよい。行列Ｂｉは、第１次元（本実装において、第１次元は行）において２つのエレメントシーケンスを含み、これらは２つのアンテナポートに対応する。行列Ｂｉは、第２次元（本実装において、第２次元は列）において４つのエレメントシーケンスを含み（第１行および第３行は２つの非ゼロエレメントシーケンスである）、これらは２つの非ゼロ変調シンボルに対応する。
【００８３】
行列Ｂｉは更に以下において説明される。行列Ｂｌは、ゼロを対角行列
【数８５】
0006885659.tif 000086
に追加することによって、
【数８６】
0006885659.tif 000087
におけるゼロエレメントの位置に基づいて取得され、その結果、
【数８７】
0006885659.tif 000088
における非ゼロ変調シンボルを異なるアンテナポートにマッピングできる。任意選択で、代替的に、逆対角行列
【数８８】
0006885659.tif 000089
、または、
【数８９】
0006885659.tif 000090
および
【数９０】
0006885659.tif 000091
の組み合わせに基づいて行列Ｂｉを取得できる。表１は、異なる形式の変調ベクトルによって使用されることができる行列の例を列挙する。
［表１］
【表１】
0006885659.tif 000092
【００８４】
例えば、変調ベクトルＡｉは
【数９１】
0006885659.tif 000093
の形式で表される。行列Ｂｉが選択肢１を使用するとき、送信デバイスは、行列Ｂｉに基づいて変調行列
【数９２】
0006885659.tif 000094
を生成する。
【００８５】
送信デバイスは、変調行列ｙｉの２列のエレメントを２つのアンテナポートにマッピングする。
【００８６】
行列Ｂｉが選択肢２を使用するとき、送信デバイスは、行列Ｂｉに基づいて、変調行列
【数９３】
0006885659.tif 000095
を生成する。
【００８７】
送信デバイスは、変調行列ｙｉの２列のエレメントを２つのアンテナポートにマッピングする。
【００８８】
選択肢３が使用されるとき、送信デバイスは、循環方式で、変調シンボルシーケンスにおける２つの隣接する、または、隣接しない変調ベクトルＡｉおよびＡｊをマッピングする。
【００８９】
以下では、
【数９４】
0006885659.tif 000096
の形式で表される２つの隣接する変調ベクトルが、更なる説明のための例として使用される。
【００９０】
送信デバイスは、行列Ｂｉを使用することによって変調ベクトルＡｉを処理して変調行列
【数９５】
0006885659.tif 000097
を生成する。
【００９１】
送信デバイスは、変調行列ｙｉの２列のエレメントを２つのアンテナポートにマッピングする。
【００９２】
送信デバイスは、行列Ｂｊに基づいて変調ベクトルＡｊをマッピングして変調行列
【数９６】
0006885659.tif 000098
を生成する。
【００９３】
送信デバイスは、変調行列ｙｊの２列のエレメントを２つのアンテナポートにマッピングする。
【００９４】
本願の別の実施形態は更に、図５を参照して以下で説明される。
【００９５】
図７は、本願の実施形態に係る別のデータ処理方法である。図２に示されるデータ処理方法２００との違いは、データ処理方法によれば、ビットのストリームに基づいて複数の層の変調シンボルシーケンスを生成および処理できるという点である。
【００９６】
段階Ｓ７０１：送信デバイスがビットのストリームに基づいてＬ層の変調シンボルシーケンスを生成し、変調シンボルシーケンスの各層は、Ｎ個の変調ベクトルを含み、任意の変調ベクトル
【数９７】
0006885659.tif 000099
はＵ個の変調シンボルを含み、Ｌは正の整数であり、Ｌ≧２であり、Ｎは正の整数であり、Ｎ≧ｉ≧１、Ｕ≧２、ｌ＝１...Ｌである。
【００９７】
例において、送信デバイスは、Ｌ個のコードブックを使用することによって、Ｌ層の変調シンボルシーケンスを別々に生成し、例えば、図３に示される６個のコードブックを使用することによって６層の変調シンボルシーケンスを生成する。別の例において、送信デバイスは、Ｌ個のコードブックの組み合わせを使用することによって、Ｌ層の変調シンボルシーケンスを別々に生成し得て、Ｌ個のコードブックの組み合わせは異なるコードブックを含む。変調シンボルシーケンスの各層に関して、変調ベクトル
【数９８】
0006885659.tif 000100
の詳細については、図２に示される段階Ｓ２０１における変調ベクトルＡｉの説明を参照されたい。詳細はここでは再度説明しない。
【００９８】
段階Ｓ７０２：送信デバイスが、行列
【数９９】
0006885659.tif 000101
を使用することによって
【数１００】
0006885659.tif 000102
を処理して変調行列
【数１０１】
0006885659.tif 000103
を生成し、各変調行列は、第１次元においてＴ個のエレメントを含み、Ｔは空間領域リソースの数であり、Ｔ≧２であり、変調行列
【数１０２】
0006885659.tif 000104
は、ビットのストリームをＴ個の空間領域リソースにマッピングするのに使用される。
【００９９】
データ処理方法によれば、送信デバイスは、ビットのストリームに基づいて複数の層の変調シンボルシーケンスを生成し、複数の層の変調シンボルシーケンスを処理して空間ダイバーシティ利得を提供し得る。
【０１００】
例において、Ｕ個の変調シンボルは、少なくとも１つの非ゼロ変調シンボルおよび少なくとも１つのゼロ変調シンボルを含む。より具体的には、変調ベクトル
【数１０３】
0006885659.tif 000105
は、Ｖ個の非ゼロ変調シンボルを含み、Ｕ≧Ｖ≧１である。行列
【数１０４】
0006885659.tif 000106
は、第１次元においてＴ個のエレメントシーケンスを含み、Ｔ個のエレメントシーケンスのうち少なくとも１つは非ゼロエレメントシーケンスであり、非ゼロエレメントシーケンスは少なくとも１つの非ゼロエレメントを含む。行列
【数１０５】
0006885659.tif 000107
は、第２次元においてＶ個の非ゼロエレメントシーケンスを含む。
【０１０１】
第１次元が行であり、送信デバイスが２つのアンテナポートを有する（つまり、Ｔ＝２）とき、送信デバイスは、変調ベクトル
【数１０６】
0006885659.tif 000108
を行列
【数１０７】
0006885659.tif 000109
に基づいてマッピングし、
【数１０８】
0006885659.tif 000110
は
【数１０９】
0006885659.tif 000111
であり、または、
【数１１０】
0006885659.tif 000112
は
【数１１１】
0006885659.tif 000113
である。
【０１０２】
別の例において、送信デバイスは、変調ベクトル
【数１１２】
0006885659.tif 000114
を行列
【数１１３】
0006885659.tif 000115
に基づいてマッピングし、
【数１１４】
0006885659.tif 000116
を行列
【数１１５】
0006885659.tif 000117
に基づいてマッピングし、ｉはｊに等しくなく、Ｎ≧ｊ≧１、Ｎ≧２であり、
【数１１６】
0006885659.tif 000118
は
【数１１７】
0006885659.tif 000119
であり、
【数１１８】
0006885659.tif 000120
は
【数１１９】
0006885659.tif 000121
である。
【０１０３】
更に別の例において、変調ベクトル
【数１２０】
0006885659.tif 000122
を行列
【数１２１】
0006885659.tif 000123
に基づいてマッピングし、変調ベクトル
【数１２２】
0006885659.tif 000124
を行列
【数１２３】
0006885659.tif 000125
に基づいてマッピングすることに加えて、送信デバイスは更に、変調ベクトル
【数１２４】
0006885659.tif 000126
を行列
【数１２５】
0006885659.tif 000127
に基づいてマッピングし、ｍはｉにもｊにも等しくなく、
【数１２６】
0006885659.tif 000128
は
【数１２７】
0006885659.tif 000129
であってよく、または、
【数１２８】
0006885659.tif 000130
は
【数１２９】
0006885659.tif 000131
であってよく、Ｎ≧ｍ≧１、Ｎ≧３である。
【０１０４】
段階７０２のより詳細な実装については、図２に示される段階２０２の関連する説明を参照されたい。詳細はここでは再度説明しない。
【０１０５】
任意選択で、データ処理方法は更に、段階７０３を含む。送信デバイスは、Ｌ層の変調シンボルシーケンスに基づいてそれぞれ生成される変調行列
【数１３０】
0006885659.tif 000132
を重畳して、送信予定の行列を生成する。送信予定の行列は、第１次元においてＴ個のエレメントシーケンスを含み、送信予定の行列は、第２次元においてｉ×Ｕ個のエレメントシーケンスを含む。図８は、２層の変調シンボルシーケンスに基づいてそれぞれ生成される変調行列
【数１３１】
0006885659.tif 000133
および
【数１３２】
0006885659.tif 000134
の重畳の概略図である。
【０１０６】
１層の変調シンボルシーケンスを生成するためのデータ処理方法は、一般に端末によって実行されることに留意されたい。言い換えれば、データ処理方法はアップリンク伝送に適用される。いくつかの事例において、システム１００が複数の端末を含む場合、複数の端末がデータまたは信号を同一のネットワーク側デバイスへ送信するとき、信号を伝播中に重畳できる。複数の層の変調シンボルシーケンスを生成するためのデータ処理方法は、一般にネットワーク側デバイスによって実行される。言い換えれば、データ処理方法は、ダウンリンク伝送に適用される。前述の説明は単に例として使用され、本願に対する制限として使用されるものではないことを理解できる。
【０１０７】
前述では主に、送信デバイスの観点から、本願の本実施形態において提供される解決手段を説明し、送信デバイスは、端末などのユーザ装置であってよく、または、基地局などのネットワーク側デバイスであってよい。前述の機能を実装するために、端末または基地局などの各ネットワークエレメントは、各機能を実行するための対応するハードウェア構造および／またはソフトウェアモジュールを含むことを理解できる。当業者であれば、本明細書に開示される実施形態において説明される例を参照することで、ユニットおよびアルゴリズムのステップをハードウェアまたはハードウェアとコンピュータソフトウェアとの組み合わせにより実装できることを容易に認識するはずである。機能がハードウェアによって実行されるか、または、コンピュータソフトウェアによって駆動されるハードウェアによって実行されるかは、技術的解決手段の特定の用途および設計の制約に依存する。当業者であれば、それぞれの特定の用途に対して説明された機能を実装すべく異なる方法を使用してよいが、その実装が本願の範囲を超えるものと考えられるべきではない。
【０１０８】
図９は、前述の実施形態において使用される送信デバイスのユニットの可能な概略図である。送信デバイス９００は、変調処理ユニット９０１およびマッピングユニット９０２を含む。
【０１０９】
変調処理ユニット９０１は、ビットのストリームに基づいて、１層の変調シンボルシーケンスを生成するよう構成され、変調シンボルシーケンスはＮ個の変調ベクトルを含み、任意の変調ベクトルＡｉはＵ個の変調シンボルを含み、Ｕ≧２、Ｎ≧ｉ≧１であり、Ｎは正の整数である。変調処理ユニット９０１によって実行される動作については、図２に示される段階Ｓ２０１の詳細な説明も参照されたい。詳細はここでは再度説明しない。
【０１１０】
マッピングユニット９０２は、行列Ｂｉを使用することによって変調ベクトルＡｉを処理して変調行列ｙｉを生成するように構成され、各変調行列は、第１次元においてＴ個のエレメントを含み、Ｔは空間領域リソースの数であり、Ｔ≧２であり、変調行列ｙｉは、ビットのストリームをＴ個の空間領域リソースにマッピングするのに使用される。マッピングユニット９０２によって実行される動作については、図２において示される段階Ｓ２０２の詳細な説明も参照されたい。ここでは詳細を再度説明しない。
【０１１１】
図１０は、前述の実施形態において使用される別の送信デバイスのユニットの可能な概略図である。図に示されるように、送信デバイス１０００は、変調処理ユニット１００１およびマッピングユニット１００２を含む。
【０１１２】
変調処理ユニット１００１は、ビットのストリームに基づいてＬ層の変調シンボルシーケンスを生成するよう構成され、変調シンボルシーケンスの各層は、Ｎ個の変調ベクトルを含み、任意の変調ベクトル
【数１３３】
0006885659.tif 000135
はＵ個の変調シンボルを含み、Ｌは正の整数であり、Ｌ≧２であり、Ｎは正の整数であり、Ｎ≧ｉ≧１、Ｕ≧２、ｌ＝１...Ｌである。変調処理ユニット１００１によって実行される動作については、図７に示される段階Ｓ７０１の詳細な説明も参照されたい。詳細はここでは再度説明しない。
【０１１３】
マッピングユニット１００２は、行列
【数１３４】
0006885659.tif 000136
を使用することによって
【数１３５】
0006885659.tif 000137
を処理して変調行列
【数１３６】
0006885659.tif 000138
を生成するよう構成され、各変調行列は第１次元においてＴ個のエレメントを含み、Ｔはビットのストリームを伝送するのに使用される空間領域リソースの数であり、Ｔ≧２であり、変調行列
【数１３７】
0006885659.tif 000139
は、ビットのストリームをＴ個の空間領域リソースにマッピングするために使用される。マッピングユニット１００２によって実行される動作については、図７に示される段階Ｓ７０２の詳細な説明も参照されたい。ここでは再度詳細を説明しない。
【０１１４】
任意選択で、送信デバイス１０００は更に重畳ユニット１００３を含み得る。重畳ユニット１００３は、Ｌ層の変調シンボルシーケンスに基づいてそれぞれ生成される変調行列
【数１３８】
0006885659.tif 000140
を重畳して送信予定の行列を生成するよう構成される。送信予定の行列は、第１次元においてＴ個のエレメントシーケンスを含み、送信予定の行列は第２次元においてｉ×Ｕ個のエレメントシーケンスを含む。
【０１１５】
図１１は、前述の実施形態において使用される送信デバイスの設計構造の簡略概略図である。送信デバイス１１００は、変調プロセッサ１１０１、送信機１１０２、コントローラ／プロセッサ１１０３、メモリ１１０４、およびアンテナＴｘ１およびＴｘ２を含む。
【０１１６】
変調プロセッサ１１０１は、符号化されたサービスデータおよび符号化されたシグナリングメッセージを処理し（例えば、シンボル変調を実行し）、出力サンプリングを提供する。送信機１１０２は、出力サンプリングを調整し（例えば、アナログ変換、フィルタリング、増幅またはアップコンバージョンを実行し）、送信予定の信号を生成する。送信予定の信号は、アンテナＴｘ１およびＴｘ２を使用することによって受信デバイスへ伝送される。例において、変調プロセッサ１１０１は、図２における処理２０１および２０２を送信デバイスが実行することをサポートするよう構成される、または、変調プロセッサ１１０１は、図７における処理７０１、７０２および７０３を送信デバイスが実行することをサポートするよう構成される。
【０１１７】
コントローラ／プロセッサ１１０３は、送信デバイスの動作を制御および管理し、前述の実施形態において送信デバイスによって実行される他の処理を実行するよう構成される。例えば、コントローラ／プロセッサ１１０３は、送信デバイスを制御してデータを処理する、および／または、本願において説明される技術の別の処理を実行するよう構成される。
【０１１８】
前述のアンテナは、基準信号に対応する物理的アンテナまたは論理ポート（アンテナポート（英語：ａｎｔｅｎｎａ  ｐｏｒｔ）と称されてよい）であってよい。複数のアンテナポートは、１つの物理アンテナに対応してよく、本願においてこれに限定されることはない。
【０１１９】
図１１は、送信デバイスの簡略設計を示すに過ぎないことを理解できる。実際の適用において、送信デバイスは、端末または別の端末デバイス、基地局、または別のネットワークデバイスであってよい。送信デバイスが端末であるか、または、基地局であるかに関わらず、送信デバイスは、任意の数の送信機、受信機、プロセッサ、コントローラ、メモリ、通信ユニット、アンテナ（つまり、Ｔは２より大きくてよい）などを含み得て、本願を実装するよう構成されてよいすべての送信デバイスは、本願の保護範囲内に属する。
【０１２０】
図１２は、前述の実施形態において使用される受信デバイスの設計構造の簡略概略図である。受信デバイス１２００は、変調プロセッサ１２０１、受信機１２０２、コントローラ／プロセッサ１２０３、メモリ１２０４およびアンテナＲｘ１を含む。
【０１２１】
受信機１２０２は、アンテナから受信される信号を調整して入力サンプリングを提供する。変調プロセッサ１２０１は更に、入力サンプリングを処理して、受信デバイスへ送信される符号化データおよび符号化シグナリングメッセージを提供する。具体的には、変調プロセッサ１２０１は、変調行列ｙｉに基づいてマッピングを通して取得される、送信デバイスからの信号を受信デバイスが受信することをサポートするよう構成される。
【０１２２】
コントローラ／プロセッサ１２０３は、各層において、変調および符号化方式およびマッピング方式に従って、対応する復号を完了し、受信デバイスの動作を制御および管理し、前述の実施形態において受信デバイスによって実行される他の処理を実行するよう構成される。
【０１２３】
図１２は受信デバイスの簡略設計を示すに過ぎないことを理解できる。実際の適用において、受信デバイスは端末、基地局または別のネットワークデバイスであってよい。受信デバイスが端末であるか、または、基地局であるかに関わらず、受信デバイスは、任意の数の送信機、受信機、プロセッサ、コントローラ、メモリ、通信ユニット、アンテナ（つまり、Ｔは１より大きくてよい）などを含み得て、本願を実装するよう構成されてよいすべての受信デバイスは、本願の保護範囲内に属する。
【０１２４】
本願の実施形態における基地局または端末の方法を実行するよう構成される変調プロセッサまたはコントローラ／プロセッサは、中央処理装置（ＣＰＵ）、汎用プロセッサ、デジタル信号プロセッサ（ＤＳＰ）、特定用途向け集積回路（ＡＳＩＣ）、フィールドプログラマブルゲートアレイ（ＦＰＧＡ）、別のプログラマブル論理デバイス、トランジスタ論理デバイス、ハードウェアコンポーネント、または、それらの任意の組み合わせであってよい。コントローラ／プロセッサは、本願において開示される内容を参照して説明される様々な例の論理ブロック、モジュールおよび回路を実装または実行し得る。代替的に、プロセッサは、計算機能を実装するプロセッサの組み合わせ、例えば、１または複数のマイクロプロセッサの組み合わせ、または、ＤＳＰおよびマイクロプロセッサの組み合わせであってよい。
【０１２５】
本願に開示される内容を参照して説明される方法またはアルゴリズムのステップは、ハードウェアによって実装されてよく、または、プロセッサによりソフトウェア命令を実行することによって実装されてよい。ソフトウェア命令は、対応するソフトウェアモジュールによって形成されてよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルハードディスク、ＣＤ−ＲＯＭ、または、当技術分野において周知の他の任意の形式の記憶媒体に配置されてよい。例えば、記憶媒体は、プロセッサに結合され、その結果、プロセッサは、記憶媒体から情報を読み取ることができる、または、記憶媒体に情報を書き込むことができる。当然、記憶媒体はプロセッサのコンポーネントであってよい。プロセッサおよび記憶媒体はＡＳＩＣに配置されてよい。加えて、ＡＳＩＣはユーザ装置に配置されてよい。当然、プロセッサおよび記憶媒体は、ディスクリートコンポーネントとしてユーザ装置に存在してよい。
【０１２６】
当業者であれば、前述の１または複数の例において、本願において説明される機能をハードウェア、ソフトウェア、ファームウェアまたはそれらの任意の組み合わせによって実装できることを認識するはずである。本発明がソフトウェアによって実装されるとき、前述の機能はコンピュータ可読媒体に記憶されてよい、または、コンピュータ可読媒体における１または複数の命令または符号として伝送されてよい。コンピュータ可読媒体は、コンピュータ記憶媒体および通信媒体を含み、ここで、通信媒体は、コンピュータプログラムをある場所から別の場所へ伝送することを可能にする任意の媒体を含む。記憶媒体は、汎用または専用コンピュータがアクセス可能である、任意の利用可能な媒体であってよい。
【０１２７】
本願の目的、技術的解決手段、および恩恵は更に、前述の具体的な実施形態において詳細に説明される。前述の説明は、本願の具体的な実施形態に過ぎず、本願の保護範囲を限定することを意図するものではないことを理解すべきである。本発明の思想および原理内で成された任意の修正、同等な置換、または改善は、本願の保護範囲内に属するものとする。
【図１】
0006885659.tif 000217
【図２】
0006885659.tif 000218
【図３】
0006885659.tif 000219
【図４】
0006885659.tif 000220
【図５】
0006885659.tif 000221
【図６】
0006885659.tif 000222
【図７】
0006885659.tif 000223
【図８】
0006885659.tif 000224
【図９】
0006885659.tif 000225
【図１０】
0006885659.tif 000226
【図１１】
0006885659.tif 000227
【図１２】
0006885659.tif 000228